【手続補正書】
【提出日】令和2年1月15日(2020.1.15)
【手続補正１】
【補正対象書類名】明細書
【補正対象項目名】００５４
【補正方法】変更
【補正の内容】
【００５４】
本発明の様々な実施例を記載した。これら及び他の実施例は添付の特許請求の範囲内に含まれる。以下、例示的実施形態を記載する。
［１］
発光器又は受光器の一方又は両方と、
前記発光器又は前記受光器の一方又は両方に隣接する光学フィルターであって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、光学フィルターと、
を含むシステム。
［２］
前記波長選択性散乱層が約０．７未満の近赤外散乱比を有する、［１］に記載のシステム。
［３］
前記波長選択性散乱層が約０．６未満の近赤外散乱比を有する、［１］に記載のシステム。
［４］
前記波長選択性散乱層が、約０．６より大きい可視反射ヘイズ率を有する、［１］〜［３］のいずれか一項に記載のシステム。
［５］
前記波長選択性散乱層が、約０．７より大きい可視反射ヘイズ率を有する、［１］〜［４］のいずれか一項に記載のシステム。
［６］
前記発光器又は前記受光器の一方又は両方が近赤外域内の動作波長を有する、［１］〜［５］のいずれか一項に記載のシステム。
［７］
前記波長選択性散乱層が入射可視光の約５０％未満を透過し、前記波長選択性散乱層が入射近赤外光の約５０％超を透過する、［１］〜［６］のいずれか一項に記載のシステム。
［８］
前記波長選択性散乱層が入射可視光の約５０％超を散乱する、［１］〜［７］のいずれか一項に記載のシステム。
［９］
前記波長選択性散乱層が入射可視光の約５０％超を白色光として散乱する、［１］〜［８］のいずれか一項に記載のシステム。
［１０］
前記波長選択性散乱層が第１の屈折率を有する光学媒体を含み、前記光学媒体が複数の粒子を含み、前記複数の粒子が第２の屈折率及び約５μｍ未満の平均粒径を有し、前記第１の屈折率と前記第２の屈折率との絶対差が約０．１未満である、［１］〜［９］のいずれか一項に記載のシステム。
［１１］
前記波長選択性散乱層が第１の屈折率を有する光学媒体を含み、前記光学媒体が複数の粒子を含み、前記複数の粒子が第２の屈折率及び約１μｍ未満の平均粒径を有し、前記第１の屈折率と前記第２の屈折率との絶対差が約０．２未満である、［１］〜［９］のいずれか一項に記載のシステム。
［１２］
前記波長選択性散乱層が第１の屈折率を有する光学媒体を含み、前記光学媒体が複数の粒子を含み、前記複数の粒子が第２の屈折率及び約０．５μｍ未満の平均粒径を有し、前記第１の屈折率と前記第２の屈折率との絶対差が約０．４未満である、［１］〜［９］のいずれか一項に記載のシステム。
［１３］
前記波長選択性散乱層が第１の屈折率を有する光学媒体を含み、前記光学媒体が複数の粒子を含み、前記複数の粒子が第２の屈折率及び約０．３μｍ未満の平均粒径を有し、前記第１の屈折率と前記第２の屈折率との絶対差が約０．６未満である、［１］〜［９］のいずれか一項に記載のシステム。
［１４］
前記波長選択性散乱層が第１の屈折率を有する光学媒体を含み、前記光学媒体が複数の粒子を含み、前記複数の粒子が第２の屈折率及び約０．２μｍ未満の平均粒径を有し、前記第１の屈折率と前記第２の屈折率との絶対差が約１．８未満である、［１］〜［９］のいずれか一項に記載のシステム。
［１５］
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８２の下の領域から選択される、［１］〜［９］のいずれか一項に記載のシステム。
［１６］
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８４の下の領域から選択される、［１］〜［９］のいずれか一項に記載のシステム。
［１７］
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８６の下の領域から選択される、［１］〜［９］のいずれか一項に記載のシステム。
［１８］
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８８の下の領域から選択される、［１］〜［９］のいずれか一項に記載のシステム。
［１９］
前記波長選択性散乱層が少なくとも２５％の可視ヘイズを有する、［１］〜［１８］のいずれか一項に記載のシステム。
［２０］
前記光学フィルターが表面光学微細構造を含む、［１］〜［１９］のいずれか一項に記載のシステム。
［２１］
前記発光器が近赤外ＬＥＤ又は近赤外レーザを含む、［１］〜［２０］のいずれか一項に記載のシステム。
［２２］
前記受光器が、近赤外カメラ、又は近赤外受光帯域を有する光センサを含む、［１］〜［２１］のいずれか一項に記載のシステム。
［２３］
前記波長選択性散乱層が、バインダー、複数の粒子、及び複数の相互接続された空隙を含み、前記波長選択性散乱層内における前記複数の相互接続された空隙の体積分率が約２０％以上であり、前記複数の粒子に対する前記バインダーの重量比が約１：２以上である、［１］〜［９］のいずれか一項に記載のシステム。
［２４］
前記光学フィルターが反射層を含む、［１］〜［２３］のいずれか一項に記載のシステム。
［２５］
前記光学フィルターがビーズ状の拡散層を含む、［１］〜［２３］のいずれか一項に記載のシステム。
［２６］
前記光学フィルターが、前記受光器を可視波長から少なくとも部分的に遮蔽し、その一方で、前記受光器が近赤外波長を受光することを実質的に可能にするように構成されている、［１］〜［２５］のいずれか一項に記載のシステム。
［２７］
前記光学フィルターが、前記受光器又は前記発光器の一方又は両方を視覚からカモフラージュするように構成されている、［１］〜［２６］のいずれか一項に記載のシステム。
［２８］
前記光学フィルターが、可視波長を散乱させることによって前記受光器又は前記発光器の一方又は両方を視覚から少なくとも部分的にカモフラージュするように構成されている、［２７］に記載のシステム。
［２９］
発光器又は受光器の一方又は両方に隣接して光学フィルターを配置する工程を含む方法であって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、方法。
［３０］
前記光学フィルターと前記発光器又は前記受光器の一方又は両方との間に反射層を配置する工程を更に含む、［２９］に記載の方法。
［３１］
発光器又は受光器の一方又は両方を少なくとも部分的にカモフラージュすることを含む方法であって、前記カモフラージュすることは［２９］又は［３０］に記載の方法を含む、方法。
［３２］
発光器又は受光器の一方又は両方を可視波長から少なくとも部分的に遮蔽する工程を含む方法であって、前記遮蔽する工程は［２９］又は［３０］に記載の方法を含む、方法。
［３３］
前記波長選択性散乱層が入射可視光の約５０％超を散乱する、［２９］〜［３２］のいずれか一項に記載の方法。
［３４］
前記波長選択性散乱層が入射可視光の約５０％超を白色光として散乱する、［３３］に記載の方法。
［３５］
光学フィルターを備える物品であって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、物品。
［３６］
前記波長選択性散乱層が約０．７未満の近赤外散乱比を有する、［３５］に記載の物品。
［３７］
前記波長選択性散乱層が約０．６未満の近赤外散乱比を有する、［３６］に記載の物品。
［３８］
前記波長選択性散乱層が、約０．６より大きい可視反射ヘイズ率を有する、［３５］〜［３７］のいずれか一項に記載の物品。
［３９］
前記波長選択性散乱層が、約０．７より大きい可視反射ヘイズ率を有する、［３５］〜［３７］のいずれか一項に記載の物品。
［４０］
前記波長選択性散乱層が入射可視光の約５０％未満を透過し、前記波長選択性散乱層が入射近赤外光の約５０％超を透過する、［３５］〜［３９］のいずれか一項に記載の物品。
［４１］
前記波長選択性散乱層が入射可視光の約５０％超を散乱する、［３５］〜［４０］のいずれか一項に記載の物品。
［４２］
前記波長選択性散乱層が入射可視光の約５０％超を白色光として散乱する、［３５］〜［４０］のいずれか一項に記載の物品。
［４３］
前記波長選択性散乱層が第１の屈折率を有する光学媒体を含み、前記光学媒体が複数の粒子を含み、前記複数の粒子が第２の屈折率及び約５μｍ未満の平均粒径を有し、前記第１の屈折率と前記第２の屈折率との絶対差が約０．１未満である、［３５］〜［４２］のいずれか一項に記載の物品。
［４４］
前記波長選択性散乱層が第１の屈折率を有する光学媒体を含み、前記光学媒体が複数の粒子を含み、前記複数の粒子が第２の屈折率及び約１μｍ未満の平均粒径を有し、前記第１の屈折率と前記第２の屈折率との絶対差が約０．２未満である、［３５］〜［４２］のいずれか一項に記載の物品。
［４５］
前記波長選択性散乱層が第１の屈折率を有する光学媒体を含み、前記光学媒体が複数の粒子を含み、前記複数の粒子が第２の屈折率及び約０．５μｍ未満の平均粒径を有し、前記第１の屈折率と前記第２の屈折率との絶対差が約０．４未満である、［３５］〜［４２］のいずれか一項に記載の物品。
［４６］
前記波長選択性散乱層が第１の屈折率を有する光学媒体を含み、前記光学媒体が複数の粒子を含み、前記複数の粒子が第２の屈折率及び約０．３μｍ未満の平均粒径を有し、前記第１の屈折率と前記第２の屈折率との絶対差が約０．６未満である、［３５］〜［４２］のいずれか一項に記載の物品。
［４７］
前記波長選択性散乱層が第１の屈折率を有する光学媒体を含み、前記光学媒体が複数の粒子を含み、前記複数の粒子が第２の屈折率及び約０．２μｍ未満の平均粒径を有し、前記第１の屈折率と前記第２の屈折率との絶対差が約１．８未満である、［３５］〜［４２］のいずれか一項に記載の物品。
［４８］
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８２の下の領域から選択される、［３５］〜［４２］のいずれか一項に記載の物品。
［４９］
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８４の下の領域から選択される、［３５］〜［４２］のいずれか一項に記載の物品。
［５０］
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８６の下の領域から選択される、［３５］〜［４２］のいずれか一項に記載の物品。
［５１］
前記波長選択性散乱層が第１の屈折率を有する光学媒体を含み、前記光学媒体が複数の粒子を含み、前記複数の粒子が第２の屈折率を有し、前記複数の粒子の平均粒径、前記第１の屈折率、及び前記第２の屈折率が図１５の線８８の下の領域から選択される、［３５］〜［４２］のいずれか一項に記載の物品。
［５２］
前記波長選択性散乱層が少なくとも２５％の可視ヘイズを有する、［３５］〜［５１］のいずれか一項に記載の物品。
［５３］
前記光学フィルターが表面光学微細構造を含む、［３５］〜［５２］のいずれか一項に記載の物品。
［５４］
前記波長選択性散乱層が、バインダー、複数の粒子、及び複数の相互接続空隙を含み、前記波長選択性散乱層内における前記複数の相互接続空隙の体積分率が約２０％以上であり、前記複数の粒子に対する前記バインダーの重量比が約１：２以上である、［３５］〜［４２］のいずれか一項に記載の物品。
［５５］
前記光学フィルターが反射層を含む、［３５］〜［５４］のいずれか一項に記載の物品。
［５６］
前記光学フィルターがビーズ状の拡散層を含む、［３５］〜［５５］のいずれか一項に記載の物品。
［５７］
前記光学フィルターが、受光器を可視波長から少なくとも部分的に遮蔽し、その一方で、前記受光器が近赤外波長を少なくとも部分的に受光することを可能にするように構成されている、［３５］〜［５６］のいずれか一項に記載の物品。
［５８］
前記光学フィルターが、受光器及び発光器の一方又は両方を視覚から少なくとも部分的にカモフラージュするように構成されている、［３５］〜［５６］のいずれか一項に記載の物品。
［５９］
前記光学フィルターが、可視波長を少なくとも部分的に散乱させることによって前記受光器又は前記発光器の一方又は両方を視覚から少なくとも部分的にカモフラージュするように構成されている、［５８］に記載の物品。
［６０］
前記光学フィルターが、前記波長選択性散乱層に隣接するインク受容コーティングを含む、［３５］〜［５９］のいずれか一項に記載の物品。
［６１］
前記光学フィルターが、前記インク受容コーティング上に配置されたインクパターンを含む、［３５］〜［６０］のいずれか一項に記載の物品。
［６２］
前記光学フィルターがシーラント層を含む、［３５］〜［６１］のいずれか一項に記載の物品。
［６３］
前記光学フィルターが保護コーティングを含む、［３５］〜［６２］のいずれか一項に記載の物品。
［６４］
前記波長選択性散乱層が少なくとも５０％の全可視反射率を有する、［３５］〜［６３］のいずれか一項に記載の物品。
［６５］
前記波長選択性散乱層が少なくとも６０％の全可視反射率を有する、［６４］に記載の物品。
［６６］
前記波長選択性散乱層が少なくとも７０％の全可視反射率を有する、［６５］に記載の物品。
［６７］
光学フィルターを備える物品であって、前記光学フィルターは波長選択性散乱層を含み、前記波長選択性散乱層が６０％未満の平均近赤外散乱を有し、前記波長選択性散乱層が、１０％より大きい平均可視散乱を有し、％全可視反射率と％拡散可視反射率との差が２０未満である、物品。
［６８］
前記波長選択性散乱層が４０％未満の平均近赤外散乱を有し、前記波長選択性散乱層が、５８％より大きい平均可視散乱を有し、前記％全可視反射率と前記％拡散可視反射率との前記差が１８未満である、［６７］に記載の物品。
【手続補正２】
【補正対象書類名】特許請求の範囲
【補正対象項目名】全文
【補正方法】変更
【補正の内容】
【特許請求の範囲】
【請求項１】
発光器又は受光器の一方又は両方と、
前記発光器又は前記受光器の一方又は両方に隣接する光学フィルターであって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、光学フィルターと、
を含むシステム。
【請求項２】
発光器又は受光器の一方又は両方に隣接して光学フィルターを配置する工程を含む方法であって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、方法。
【請求項３】
光学フィルターを備える物品であって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、物品。
【請求項４】
光学フィルターを備える物品であって、前記光学フィルターは波長選択性散乱層を含み、前記波長選択性散乱層が６０％未満の平均近赤外散乱を有し、前記波長選択性散乱層が、１０％より大きい平均可視散乱を有し、％全可視反射率と％拡散可視反射率との差が２０未満である、物品。